(57)【特許請求の範囲】
【請求項１】
車室内空調を省動力で行うエコモードが設定される車両用空調装置において、
車室内のシート（１０１３）を加熱または冷却するように作動するシート温度調整システム（１０１）と、
前記エコモードが設定された場合に、前記シート温度調整システムを自動的に作動状態にする制御手段（６０、１０１４）と、を備え、
前記シート温度調整システムは、前記車室内のシートを加熱または冷却する程度が手動設定された値に従うシートマニュアルモードと、加熱または冷却の程度が自動設定された値に従うシートオート作動モードとで制御され、
前記エコモードに設定されたときの前記シート温度調整システムの作動状態は、前記シートオート作動モードで作動し、
更に、前記車両用空調装置の空調負荷の大きさを判定する判定手段（１０２）を有し、
車両の起動時において、前記エコモードが設定されている場合は、前記シート温度調整システムを前記シートオート作動モードにすると共に、
前記車両の起動時において、前記エコモード以外が設定され、かつ前記空調負荷が大きいときは、前記車両の起動時以前の前記シート温度調整システムの作動状態を継続し、
前記車両の起動時において、前記エコモード以外が設定され、かつ前記空調負荷が小さいときは、前記シート温度調整システムを非作動状態とすることを特徴とする車両用空調装置。
【請求項２】
前記判定手段は、前記車両の外部の空気温度である外気温度の大きさに基づいて前記空調負荷の大小を判定することを特徴とする請求項１に記載の車両用空調装置。
【請求項３】
前記シート温度調整システムは、前記車室内のシートを加熱または冷却するように作動するシート空調装置（１０１）から成り、
前記エコモードを設定するエコモードスイッチ（７１０）を備え、かつ前記制御手段は、前記エコモードスイッチにより前記エコモードに設定された場合に、前記シート空調装置を自動的に作動状態にすることを特徴とする請求項１又は２に記載の車両用空調装置。
【請求項４】
更に、前記車両用空調装置は空調風の温度を自動制御するオートモードが設定され、
前記制御手段は、前記エコモードが設定され、かつ前記オートモードが設定された場合に、前記シート温度調整システムを作動状態にすることを特徴とする請求項１ないし３のいずれか一項に記載の車両用空調装置。
【請求項５】
更に、操作されることにより前記車両用空調装置の前記オートモードを設定するオートモードスイッチ（７０８）を備え、
前記制御手段は、前記エコモードが設定され、かつ前記オートモードスイッチにより前記自動制御を指示するオート入力があるときに応答して、前記シート温度調整システムを作動状態にすることを特徴とする請求項４に記載の車両用空調装置。
【請求項６】
更に、前記車両の起動信号を発生する起動信号発生手段（７４）、または、前記車両用空調装置の作動開始を指示する空調開始信号を発生する空調開始信号発生手段（７０５）を備え、
前記制御手段は、前記エコモードが設定され、かつ前記起動信号、または、前記空調開始信号があることに応じて、前記シート温度調整システムを作動状態にすることを特徴とする請求項１ないし５のいずれか一項に記載の車両用空調装置。
【請求項７】
前記シート温度調整システムの作動状態は、シートクーラ（１０１１）としての作動状態と、シートヒータ（１０１２）としての作動状態とがあることを特徴とする請求項１ないし６のいずれか一項に記載の車両用空調装置。
【発明の詳細な説明】
【技術分野】
【０００１】
本発明は、圧縮機を用いて蒸発器に冷媒を送り、車両の室内を空調する車両用空調装置に関するものである。
【背景技術】
【０００２】
従来、特許文献１において、シートヒータをエアミックス開度や目標吹出温度ＴＡＯに応じて自動制御する技術が開示されている。また、車両用空調装置において、エコモードを設定して省動力化を図ることが周知である。
【先行技術文献】
【特許文献】
【０００３】
【特許文献１】実公昭６２−４００６号公報
【発明の概要】
【発明が解決しようとする課題】
【０００４】
上記特許文献１の技術のように、シートヒータをエアミックス開度や目標吹出温度ＴＡＯに応じて制御すると、室温が冷えてからでないと、シートヒータが通電されない。そのため、乗員が寒さを感じる時間ができてしまうという問題があった。特に、省動力のために空調度合いを弱めるエコモード時においては、上記の問題が顕著になる。
【０００５】
本発明は、このような従来の技術に存在する問題点に着目して成されたものであり、その目的は、エコモード時に車室内温度が低め、または高めになっても、乗員の温感低下、または冷房不足感を最小限に抑えた空調が可能になる車両用空調装置を提供することにある。
【０００６】
従来技術として列挙された特許文献の記載内容は、この明細書に記載された技術的要素の説明として、参照によって導入ないし援用することができる。
【課題を解決するための手段】
【０００７】
本発明は上記目的を達成するために、下記の技術的手段を採用する。すなわち、車室内空調を省動力で行うエコモードが設定される車両用空調装置において、車室内のシート（１０１３）を加熱または冷却するように作動するシート温度調整システム（１０１）と、
エコモードが設定された場合に、シート温度調整システムを自動的に作動状態にする制御手段（６０、１０１４）と、を備え、シート温度調整システムは、車室内のシートを加熱または冷却する程度が手動設定された値に従うシートマニュアルモードと、加熱または冷却の程度が自動設定された値に従うシートオート作動モードとで制御され、エコモードに設定されたときのシート温度調整システムの作動状態は、シートオート作動モードで作動し、更に、車両用空調装置の空調負荷の大きさを判定する判定手段（１０２）を有し、
車両の起動時において、エコモードが設定されている場合は、シート温度調整システムをシートオート作動モードにすると共に、車両の起動時において、エコモード以外が設定され、かつ空調負荷が大きいときは、車両の起動時以前のシート温度調整システムの作動状態を継続し、車両の起動時において、エコモード以外が設定され、かつ空調負荷が小さいときは、シート温度調整システムを非作動状態とすることを特徴としている。
【０００８】
この発明によれば、エコモードで車両用空調装置の空調性能が低下しても、エコモードにした場合にシート温度調整システムが自動的に作動状態になるため、乗員の温感低下または温感上昇を最小限に抑えた空調が可能になる。
【０００９】
請求項に記載の発明では、更に、車両用空調装置は空調風の温度を自動制御するオートモードが設定され、制御手段（６０、１０１４）は、エコモードが設定され、かつオートモードが設定された場合に、シート温度調整システム（１０１）を作動状態にすることを特徴としている。
【００１０】
この発明によれば、エコモードで、車室内の空調を弱めにしても、車両用空調装置をオートモードにしたことに応じてシート温度調整システムが自動的に作動する。そのため、乗員の空調不足感、すなわち温感低下または冷房不足感を抑えることができる。
【００１１】
請求項に記載の発明では、車両の起動信号を発生する起動信号発生手段（７４）、または、車両用空調装置の作動開始を指示する空調開始信号を発生する空調開始信号発生手段（７０５）を備え、制御手段（６０、１０１４）は、エコモードが設定され、かつ起動信号、または、空調開始信号があることに応じて、シート温度調整システム（１０１）を作動状態にすることを特徴としている。
【００１２】
この発明によれば、エコモードで室内の空調を弱めに設定していても、イグニッションスイッチのオン、または、ブロワスイッチのオン操作等による空調開始信号の発生に応じて、シート温度調整システムが作動状態となる。よって、エコモードで、車室内の空調を弱めにしても、車両の起動信号、または、空調開始信号の発生に応じて自動的にシート温度調整システムが作動するため、乗員の空調不足感を抑えることができる。
【００１３】
請求項に記載の発明では、シート温度調整システム（１０１）は、車室内のシート（１０１３）を加熱または冷却し、加熱または冷却の程度が手動設定された値に従うシートマニュアルモードと、加熱または冷却の程度が自動設定された値に従うシートオート作動モードとで制御され、エコモードに設定されたときのシート温度調整システム（１０１）の作動状態は、シートオート作動モードで作動することを特徴としている。
【００１４】
この発明によれば、シート温度調整システムは、車室内のシートを加熱または冷却し、加熱または冷却の程度が手動設定された値に従うシートマニュアルモードと、加熱または冷却の程度が自動設定された値に従うシートオート作動モードとで制御され、エコモードに設定されたときのシート温度調整システムの作動状態は、シートオート作動モードで作動するようにしたから、エコモード時のシート温度調整システムによる空調バックアップを、より一層車室内環境に適したものにすることができる。
【００１５】
請求項に記載の発明では、車両の起動時において、エコモードが設定されている場合は、シート温度調整システム（１０１）をシートオート作動モードにすると共に、車両の起動時において、エコモード以外が設定されている場合は、シート温度調整システム（１０１）を非作動状態とすることを特徴としている。
【００１６】
この発明によれば、車両の起動時において、エコモードが設定されている場合は、シートオート作動モードにてシート温度調整システムを作動させ、空調不足を補い、車両の起動時において、エコモードでないときは、シート温度調整システムの無駄な作動を無くすことができる。
【００１７】
請求項に記載の発明では、車両用空調装置の空調負荷の大きさを判定する判定手段（１０２）を有し、車両の起動時においてエコモードが設定されている場合は、シート温度調整システム（１０１）をシートオート作動モードにすると共に、車両の起動時において、エコモード以外が設定され、かつ空調負荷が大きいときは、車両の起動時以前のシート温度調整システム（１０１）の作動状態を継続し、車両の起動時において、エコモード以外が設定され、かつ空調負荷が小さいときはシート温度調整システム（１０１）を非作動状態とすることを特徴としている。
【００１８】
この発明によれば、車両の起動時にエコモード以外が設定され空調負荷が大きいときは以前のシート温度調整システムの作動状態を継続するから、継続したシート温度調整システムの作動により空調状態が快適になる。また、起動時において、エコモード以外が設定され空調負荷が小さいときは、シート温度調整システムを非作動状態とすることで、無駄なシート温度調整システムの作動が抑えられる。
【００１９】
請求項に記載の発明では、車両用空調装置の空調負荷の大きさを判定する判定手段（１０２）は、車両の外部の空気温度である外気温度の大きさに基づいて空調負荷の大小を判定することを特徴としている。
【００２０】
この発明によれば、車両の外部の空気温度である外気温度の大きさに基づいて空調負荷の大小を判定することにより、空調負荷の大きさを簡単に判定することができる。
【００２１】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２２】
【図１】本発明の第１実施形態における車両用空調装置の概略構成図である。
【図２】図１中の電気ヒータの電気接続図である。
【図３】上記実施形態に用いるエアコンＥＣＵへの接続を示すブロック図である。
【図４】上記実施形態におけるエアコンＥＣＵの処理の一例を示したフローチャートである。
【図５】上記実施形態における操作パネルの正面図である。
【図６】上記実施形態におけるエコモードスイッチの正面図である。
【図７】上記実施形態におけるシート空調装置のシートマニュアルモードとシートオート作動モードにおける作動状態の遷移についての説明図である。
【図８】図７におけるシートオート作動モードの特性を示すグラフである。
【図９】図７における各作動状態でのシートヒータの温度制御を示すグラフである。
【図１０】上記実施形態におけるブロワ電圧決定処理を示すフローチャートである
【図１１】上記実施形態における吸込口モード決定処理を示すフローチャートである
【図１２】上記実施形態における吹出口モード決定処理を示すフローチャートである。
【図１３】上記実施形態における圧縮機回転数決定処理を示すフローチャートである。
【図１４】上記実施形態におけるＰＴＣ作動本数決定処理を示すフローチャートである。
【図１５】上記実施形態における要求水温決定処理を示すフローチャートである。
【図１６】上記実施形態における電動ウォータポンプ作動決定処理を示すフローチャートである。
【図１７】本発明の第２実施形態におけるシート空調装置のシートマニュアルモードとシートオート作動モードにおける作動状態の遷移についての説明図である。
【図１８】本発明の第３実施形態におけるシート空調装置のシートマニュアルモードとシートオート作動モードにおける作動状態の遷移についての説明図である。
【図１９】本発明の第４実施形態におけるシート空調装置のシートマニュアルモードとシートオート作動モードにおける作動状態の遷移についての説明図である。
【図２０】本発明の第５実施形態におけるシート空調装置のシートマニュアルモードとシートオート作動モードにおける作動状態の遷移についての説明図である。
【発明を実施するための形態】
【００２３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２４】
各実施形態で具体的に組合せが可能であることを明示している部分同士の組合せばかりではなく、特に組合せに支障が生じなければ、明示していなくても実施形態同士を部分的に組合せることも可能である。
【００２５】
（第１実施形態）
以下、本発明の第１実施形態について図１ないし図１６を用いて詳細に説明する。図１において、図示しないハイブリッドＥＣＵ（ハイブリッド電子ユニット）は、図１の電動発電機５１およびエンジン５０のうち、いずれの駆動力を駆動輪に伝達するかの駆動切替制御を行う機能、および車載用蓄電装置である図示しない電池の充放電を制御する機能を備えている。
【００２６】
また、上記電池は、車室内空調および走行等によって消費される電力を充電するための図示しない充電装置を備えている。また、充電装置は、電力供給源としての電気スタンドや商業用電源（家庭用電源）に接続されるコンセントを備えており、このコンセントに電源供給源を接続することにより、電池の充電を行うことができる。
【００２７】
図３のエンジンＥＣＵ６１および上記ハイブリッドＥＣＵは、具体的には、以下のような制御を行う。
（１）車両が停止している時は、基本的にエンジン５０を停止させる。
（２）走行中は、減速時を除き、エンジン５０で発生した駆動力を駆動輪に伝達する。なお、減速時は、エンジン５０を停止させて電動発電機５１にて発電して電池に充電する。
（３）発進、加速、登坂および高速走行時等の走行負荷が大きい時には、電動発電機５１を電動モータとして機能させて、エンジン５０で発生した駆動力に加えて、電動発電機５１に発生した駆動力を駆動輪に伝達する。
（４）電池の充電残量が充電開始目標値以下になった時には、エンジン５０の動力を電動発電機５１に伝達して電動発電機５１を発電機として作動させて電池の充電を行う。
（５）車両が停止している時に、電池の充電残量が充電開始目標値以下になった時には、エンジンＥＣＵ６１に対してエンジン５０を始動する指令が発せられるとともに、エンジン５０の動力が電動発電機５１に伝達される。
（６）車室内の乗員が着座する図３のシート１０１３を加熱または冷却するシート温度調整システムを成すシート空調装置１０１からの信号を受信して図３のシート空調装置１０１内のシートクーラ１０１１またはシートヒータ１０１２を制御する指示信号をシート空調装置に供給する。シートクーラ１０１１またはシートヒータ１０１２はシート１０１３内に周知のように設けられている。なお、シート空調装置１０１には、シート空調制御装置１０１４が内蔵されており、このシート空調制御装置１０１４には、図示しないシートスイッチ等のシート空調装置１０１の操作信号を供給するシート空調パネル１０１５が接続されている。
【００２８】
次に、図１の車両用空調装置１００に関して説明する。車両用空調装置１００は、走行用に水冷のエンジン５０を搭載する自動車等の車両において、車室内を空調する空調ユニットをエアコンＥＣＵ６０（図３）によって制御するように構成されている。この車両用空調装置１００は、いわゆるオートエアコンシステムとして構成されている。車両用空調装置１００は、冷凍サイクル１の冷媒流れ、およびエンジン５０の起動を制御して、車室内を空調する。また、エアコンＥＣＵ６０は、シート空調制御装置１０１４と共に制御手段を構成する。
【００２９】
空調ユニットは、車両の車室内前方に配置され、内部を送風空気が通過する空調ケース１０を備えている。空調ケース１０は、一方側に空気取入口が形成され、他方側に車室内に向かう空気が通過する複数の吹出口が形成される。空調ケース１０は、空気取入口と吹出口との間に送風空気が通過する通風路１０ａを有する。空調ケース１０の上流側（一方側）には、送風機ユニット１４が設けられている。
【００３０】
送風機ユニット１４（空調用送風機）は、内外気切替機構（内外気切替ドアとも言う）１３およびブロワ１６を含む。この内外気切替ドア１３は、サーボモータ等のアクチュエータによって駆動され、空気取入口である内気吸込口１１と外気吸込口１２との開度を変更する吸込口切替手段を構成している。
【００３１】
空調ユニットは、具体的には図示しないが、完全センター置きといわれるタイプのものであり、車室内前方の計器盤下方部であって、車両左右方向の中央位置に搭載されている。送風機ユニット１４は、空調ユニットの車両前方側に配設されている。送風機ユニット１４の内気吸込口１１は、車室内空気を吸い込む。
【００３２】
ブロワ１６は、ブロワ駆動回路（図示せず）によって制御されるブロワモータ１５により回転駆動されて、空調ケース１０内において、車室内に向かう空気流を発生させる遠心式送風機である。ブロワ１６は、後述する各吹出口から車室内に向けてそれぞれ吹き出される空調風の吹出風量を変更する機能を有する。空調ケース１０には、送風機ユニット１４から送風された空気を加熱または冷却して空調風とし、複数の吹出口に送る空調部として空調用熱交換器を成す蒸発器７およびヒータコア３４が設けられている。蒸発器７は、冷媒を使用して空調ケース１０を通過して車室内に向かう空調風の温度を調整する（冷却する）冷却用熱交換器として機能する。
【００３３】
また、蒸発器７の空気下流側には、通風路１０ａを通過する空気を、エンジン５０のエンジン冷却水と熱交換して加熱する暖房用熱交換器としてのヒータコア３４が設けられている。エンジン冷却水が循環する冷却水回路３１は、電動ウォータポンプ３２によって、エンジン５０のウォータジャケットで暖められたエンジン冷却水を循環させる回路である。この回路には、ラジエータ（図示せず）、サーモスタット（図示せず）およびヒータコア３４が設けられている。
【００３４】
ヒータコア３４は、内部にエンジン５０を冷却して高温となったエンジン冷却水が流れ、このエンジン冷却水を暖房用熱源として冷風を再加熱する。ヒータコア３４は、通風路１０ａを部分的に塞ぐように、空調ケース１０内において蒸発器７よりも下流側に配設されている。ヒータコア３４の空気上流側には、車室内の温度調節を行うためのエアミックスドア１７が設けられている。エアミックスドア１７は、サーボモータ等のアクチュエータにより駆動される。また、エアミックスドア１７は、各吹出口から車室内に向けて、それぞれ吹き出される空調風の吹出温度を変更する。換言すると、エアミックスドア１７は、蒸発器７を通過する空気と、ヒータコア３４を通過する空気との風量比率を調整するエアミックス手段として機能する。
【００３５】
蒸発器７は、冷凍サイクル１の一構成部品を成すものである。また、電池の直流をインバータ４２で三相交流に変換し、この三相交流が入力される電動機４３により駆動されて、冷媒を吸入して、圧縮してから吐出する圧縮機４１を上記冷凍サイクル１に含んでいる。また、冷凍サイクル１は、圧縮機４１より吐出された冷媒を凝縮液化させるコンデンサ３と、このコンデンサ３より流入した液冷媒を気液分離するレシーバ５と、このレシーバ５より流入した液冷媒を断熱膨張させる膨張弁６と、この膨張弁６より流入した気液二相状態の冷媒を蒸発気化させる蒸発器７とを含む。
【００３６】
電動機４３の回転動力が圧縮機４１に伝達されて、蒸発器７による空気冷却作用が行われ、電動機４３の回転が停止（オフ）した時に、圧縮機４１による冷媒の吐出が無くなり、蒸発器７による空気冷却作用が停止される。また、電池は電動発電機５１の電力で充電される。従って、電動機４３で駆動される圧縮機４１は、電動発電機５１の電力を動力源としている電動圧縮機４１、４２、４３の圧縮部を構成する。また、コンデンサ３は、ハイブリッド自動車が走行する際に生じる走行風を受け易い場所に配設され、内部を流れる冷媒と、室外ファン４により送風される外気および走行風とを熱交換する室外熱交換器を構成している。
【００３７】
空調ケース１０の最も下流側には、吹出口切替部を構成する、それぞれ、デフロスタ開口部１８、フェイス開口部１９およびフット開口部２０が形成されている。そして、デフロスタ開口部１８には、デフロスタダクト２３が接続されて、このデフロスタダクト２３の最下流端には、車両のフロント窓ガラス４９の内面に向かって主に温風を吹き出すデフロスタ吹出口が開口している。
【００３８】
フェイス開口部１９には、フェイスダクト２４が接続されて、このフェイスダクト２４の最下流端には、乗員の頭胸部に向かって主に冷風を吹き出すフェイス吹出口が開口している。更に、フット開口部２０には、フットダクト２５が接続されて、このフットダクト２５の最下流端には、乗員の足元部に向かって主に温風を吹き出すフット吹出口が開口している。
【００３９】
各吹出口の内側には、２組の吹出口切替ドア２１、２２が回動自在に取り付けられている。吹出口切替ドア２１、２２は、サーボモータ等のアクチュエータによりそれぞれ駆動されて、吹出口モードを周知のフェイスモード、バイレベルモード、フットモード、フットデフロスタモードまたはデフロスタモードのいずれに切り替えることが可能である。
【００４０】
ヒータコア３４の下流側には、エンジン５０の廃熱以外の熱源を用いて車室内の空気を加熱する補助加熱装置となる電気ヒータ３５が設けられている。電気ヒータ３５は、ヒータコア５１を通過した温風を加熱する。電気ヒータ３５は、図２に示すように、ＰＴＣやニクロム線からなるヒータ線３５１、３５２、３５３からなり、ヒータ線３５１、３５２、３５３は、電源Ｂａおよびグランドの間に並列に接続されている。
【００４１】
ヒータ線３５１、３５２、３５３のそれぞれに対して、スイッチ素子ＳＷ１、ＳＷ２、ＳＷ３が設けられ、スイッチ素子ＳＷ１、ＳＷ２、ＳＷ３は、そのオン（ＯＮ）、オフ（ＯＦＦ）により電源Ｂａからヒータ線３５１、３５２、３５３への通電、および通電停止を行う。スイッチ素子ＳＷ１、ＳＷ２、ＳＷ３のオン、オフは、図３のエアコンＥＣＵ６０により制御される。
【００４２】
次に、車両用空調装置１００の電気的構成に関して説明する。図３のエアコンＥＣＵ６０は、シート空調制御装置１０１４と共に制御手段を構成している。図１のエンジン５０の始動および停止を司るイグニッションスイッチ７４（図３）がオン操作（ＯＮ）されるとＩＧ信号が出る。ＩＧ信号が出された時に、車両に搭載された車載電源である電池（図示せず）から直流電源が上記制御手段６０、１０１４供給され、演算処理や制御処理を開始する。
【００４３】
エアコンＥＣＵ６０には、エンジンＥＣＵ６１から出力される通信信号、車室内前面に設けられた操作パネル７０上の各スイッチからのスイッチ信号、および各センサからのセンサ信号が入力される。エンジンＥＣＵ６１は、燃料噴射ＥＣＵと呼ばれることがある。
【００４４】
ここで、操作パネル７０等の操作系に関して説明する。図５は、上記実施形態における操作パネル７０の正面図である。図６は車両のインストルメントパネル内に設けられたエコモードスイッチ７１０の正面図である。この図６のエコモードスイッチ７１０は、エアコンＥＣＵ６０に接続され、圧縮機４１等の運転を省動力で行うエコモードに設定するスイッチである。このエコモードスイッチ７１０は、一回押す操作を行うとエコモードを指示するエコモード操作が実行される。更に、もう一度押すとエコモード以外（エコモードオフ）を指示するエコモード以外操作が実行される。以下これらの操作をエコモードスイッチ７１０を押すたびに繰り返す。
【００４５】
図３のエアコンＥＣＵ６０には、車両用空調装置１００の運転操作、各種の設定操作を行なう操作パネル７０が接続されている。図５に示されるように、操作パネル７０は、自動車内のインストルメントパネルに設けられており、前席に着座した乗員が操作可能となっている。
【００４６】
この操作パネル７０には、各種の表示がなされるディスプレイ７０１と共に、車両用空調装置１００の運転／停止操作を行うＡ／Ｃスイッチ（運転スイッチ）７０２、温度設定（設定温度のアップ／ダウン）を行う温度設定スイッチ７０３、内外気モードをマニュアル選択（内気モードと外気モードの切り換え）する内外気切替スイッチ７０４、空調風の風量を設定（ブロワ風量のアップ／ダウン）するブロワスイッチ７０５、空調風を吹き出す吹出口を選択するモード切換スイッチ７０６、および外気温表示スイッチ７０７が設けられている。なお、ブロワスイッチ７０４は、空調開始スイッチを構成し、オン操作を行うことで空調用信号をエアコンＥＣＵ６０に送信する。
【００４７】
これにより、車両用空調装置１００では、ディスプレイ７０１等の表示を見ながら、空調運転の運転／停止、内気モード（内気循環モードとも言う）と外気モード（外気導入モードとも言う）の切換、温度設定、風量設定と共に、吹出モードの設定が可能となっており、エアコンＥＣＵ６０は、操作パネル７０における設定に基づいた空調運転が可能となっている。
【００４８】
また、操作パネル７０には、オート（ＡＵＴＯ）スイッチ７０８が設けられている。エアコンＥＣＵ６０は、オートスイッチ７０８がオン操作されることにより、設定温度、室内温度、外気温度、日射量等に基づいて、車室内が設定温度となるように吹出風の温度（目標吹出温度）、風量および吹出モード等の設定を行い、設定に基づいた自動空調制御を行う。すなわち、エアコンＥＣＵ６０では、設定温度、環境条件等に基づいて目標吹出温度を設定し、設定した目標吹出温度が得られるように圧縮機４１の回転数（電動機４３の回転数）、エアミックスダンパ１７の開度等を設定すると共に、吹出口の選択および吹出風量（ブロワ風量）の設定を行う。
【００４９】
そして、これらの設定に基づいて自動空調運転を行うことにより、車室内を設定温度とすると共に、車室内が設定温度に維持されるようにしている。また、図５の外気温表示スイッチ７０７が操作されると、外気温センサ７２（図３）によって検出された外気温度Ｔａｍをディスプレイ７０１に表示する。
【００５０】
エアコンＥＣＵ６０は、エンジンＥＣＵ６１およびハイブリッドＥＣＵに接続されており、例えば、冷却水温センサで検出したエンジン冷却水温度Ｔｗが予め設定された温度に達していない時には、エンジン５０の駆動要求（エンジンオン要求）を行う。これによりエンジン５０が駆動されてエンジン冷却水温度Ｔｗが上昇することにより、ヒータコア３４を充分に加熱できるようにしている。また、エンジン５０の停止制御を行うことにより省燃費効果が得られるようにしている。
【００５１】
車両用空調装置１００では、省燃費効果が損ねられるのを抑えるエコモード（エコノミーモード、または省動力モードとも呼ばれる）が設定可能とされている。すなわち、車両用空調装置１００では、省燃費効果を優先するエコモードでの運転と、車室内の快適性を優先するオートモードでの運転の選択が可能となっている。
【００５２】
エアコンＥＣＵ６０には、選択手段として、エコモードを選択するか否かを切り換えるエコモードスイッチ７１０が接続されている。図６に示されるように、このエコモードスイッチ７１０は、乗員が操作可能となるインストルメントパネルの所定位置に設けられている。また、このエコモードスイッチ７１０は、押下操作（タッチ操作）によって、オン、オフされ、これにより、エコモードと非エコモード（エコモードオフまたはエコモード以外とも言う）の切り換えが行われる。そして、エコモードが選択されるとエコモード表示部７１０ａの発光ダイオードが発光する。
【００５３】
エアコンＥＣＵ６０の内部には、図示は省略するが、演算処理や制御処理を行うＣＰＵ（中央演算装置）、ＲＯＭやＲＡＭ等のメモリ、およびＩ／Ｏポート（入力／出力回路）等の機能を含んで構成される周知のマイクロコンピュータが設けられている。
【００５４】
各種センサからのセンサ信号がＩ／ＯポートまたはＡ／Ｄ変換回路によってＡ／Ｄ変換された後に、マイクロコンピュータに入力される。エアコンＥＣＵ６０には、運転席の周囲の空気温度（内気温度）Ｔｒを検出する内気温検出手段としての内気温センサ７１、車室外温度（外気温度）Ｔａｍを検出する外気温検出手段としての外気温センサ７２、車室外の日射量Ｔｓを検出する日射量検出手段としての日射センサ７３、および車両を運転開始するときに操作されるイグニッションスイッチ７４（運転開始スイッチとも言う）が接続されている。イグニッションスイッチ７４がオン操作されるとＩＧ信号がエアコンＥＣＵ６０に入力される。
【００５５】
また、エアコンＥＣＵ６０には、蒸発器７を通過した直後の空気温度（蒸発器後温度ＴＥ）を検出するエバ後温度検出手段としてのエバ後温度センサ、車室内の相対湿度を検出する湿度検出手段としての湿度センサ等が接続されているが、図３では図示を省略している。
【００５６】
エンジンＥＣＵ６１には、車両のエンジン冷却水温度Ｔｗを検出する水温検出手段としての図示しない冷却水温センサが接続されている。エアコンＥＣＵ６０は、エンジンＥＣＵ６１を介してエンジン冷却水温Ｔｗを取得する。また、内気温センサ７１、外気温センサ７２、蒸発器後温度センサ、および冷却水温センサは、たとえばサーミスタ等の感温素子が使用されている。
【００５７】
更に、日射センサ７３は、空調空間内に照射される日射量（日射強度）を検出する日射強度検出手段を有しており、たとえばフォトダイオード等が使用されている。湿度センサは、たとえば内気温センサ７１とともに、運転席近傍のインストルメントパネルの前面に形成された凹所内に収容されており、前面窓ガラス４９（図１）の防曇のためにデフロスタ吹き出しの要否の判定に利用される。
【００５８】
次に、エアコンＥＣＵ６０による制御を、図４を用いて説明する。図４は、エアコンＥＣＵ６０の処理の一例を示したフローチャートである。まず、イグニッションスイッチ７４がオンされて、エアコンＥＣＵ６０に直流電源が供給されると、予めメモリに記憶されている制御プログラムが実行される。イグニッションスイッチ７４がオンされた時は、ユーザーの操作によって車両が駐車状態から走行可能な走行状態になった時である。
【００５９】
ステップＳ１では、エアコンＥＣＵ６０内部のマイクロコンピュータに内蔵されたデータ処理用メモリの記憶内容等を初期化（イニシャライズ）し、ステップＳ２に移る。ステップＳ２では、図６のエコモードスイッチ７１０を含む各種操作スイッチからのスイッチ信号を読込む。
【００６０】
次に、図４のステップＳ３では、各種センサからのセンサ信号を読込み、ステップＳ４に移る。なお、ステップＳ２、Ｓ３では、各種データがデータ処理用メモリに読み込みこまれる。センサ信号としては、例えば、内気温センサ７１が検知する内気温度（車室内温度）Ｔｒ、外気温センサ７２が検知する外気温度Ｔａｍ、日射センサ７３が検知する日射量Ｔｓ、蒸発器後温度センサが検知する蒸発器後温度Ｔｅ、および冷却水温センサが検知するエンジン冷却水温Ｔｗがある。
【００６１】
ステップＳ４では、記憶している下記の数式１に入力データを代入して目標吹出温度ＴＡＯを演算し、ステップＳ５に移る。
（数式１）ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ
ここで、Ｔｓｅｔは、温度設定スイッチにて設定された設定温度、Ｔｒは内気温度、Ｔａｍは外気温度、Ｔｓは日射量である。また、Ｋｓｅｔ、Ｋｒ、ＫａｍおよびＫｓは各ゲインであり、Ｃは全体にかかる補正用の定数である。そして、このＴＡＯおよび上記各種センサからの信号により、エアミックスドア１７のアクチュエータの制御値および電動ウォータポンプ３２の回転数の制御値等を算出する。
【００６２】
ステップＳ５では、ブロワ電圧を決定する処理を実施する。ブロワ電圧は、ブロワモータ１５に印可される電圧であり、ブロワ電圧に応じて吹出風量が変更される。ブロワ電圧決定処理の詳細については後述する。次に、ステップＳ６では、吸込口モード決定処理を実行し、目標吹出温度ＴＡＯに基づき、空調ケース１０内に空気を取り込む吸込口を決定し、ステップＳ７に移る。吸込口モード決定処理の詳細については後述する。
【００６３】
ステップＳ７では、後述する吹出口モード決定処理を実施し、目標吹出温度ＴＡＯに基づき、車室内に空調風を吹き出す吹出口を決定し、ステップＳ８に移る。吹出口モードは、たとえばＲＯＭに記憶されたマップから目標吹出温度ＴＡＯに対応する吹出口モードを決定する。
【００６４】
ステップＳ８では、後述する圧縮機回転数決定処理を実施し、ステップＳ９に移る。ステップＳ９では、電気ヒータを構成するＰＴＣヒータ（単にＰＴＣともいう）の作動本数を決定する処理を行う。ステップＳ１０では、要求水温決定処理を実施し、ステップＳ１１に移る。要求水温決定処理は、エンジン冷却水を暖房および防曇等の熱源にするため、目標吹出温度ＴＡＯ等に基づきエンジン冷却水の要求水温を決定する。要求水温決定処理の詳細については後述する。
【００６５】
ステップＳ１１では、電動ウォータポンプ作動決定処理を実施し、ステップＳ１２に移る。電動ウォータポンプ作動決定処理は、エンジン冷却水温Ｔｗ等に基づいて、電動ウォータポンプ３２（図１）のオンオフを決定する処理である。電動ウォータポンプ作動決定処理の詳細については後述する。
【００６６】
ステップＳ１２では、上記各ステップＳ４〜Ｓ１１で算出または決定された各制御状態が得られるように、各種アクチュエータ等に対して制御信号を出力し、ステップＳ１３に移る。また、ステップＳ１２では、エコモードおよびオートモードの表示制御も行う。
【００６７】
また、ステップＳ１２では、シート空調装置１０１内のシート空調制御装置１０１４にステップＳ４で算出した目標吹出温度ＴＡＯに関わる信号を送信する。また、ステップＳ２で読み込んだエコモードスイッチの操作情報をシート空調装置１０１内のシート空調制御装置１０１４に送信し、車両用空調装置１００がエコモードで作動しているのかエコモード以外で作動しているのか否かを報知する。また、イグニッションスイッチ７４のＯＮ，ＯＦＦ情報、オートスイッチ７０８の操作情報つまり車両用空調装置１００がオートモードで作動しているかマニュアルモードで作動しているかの情報もエアコンＥＣＵ６０からシート空調装置１０１のシート空調制御装置１０１４に送信する。
【００６８】
そしてシート空調装置１０１内のシート空調制御装置１０１４では、以下の制御が行われる。エコモード時、シート空調装置１０１を自動的にシートオート作動モード（図では単にオート作動モードと記す）で作動させることで、車両用空調装置１００のエコモード時に室温目標を低めにしても、エコモードにした瞬間に例えばシートヒータ１０１２がＯＮするため、乗員の温感低下を最小限に抑えた空調が可能になる。
【００６９】
図３において、シート空調装置１０１は、該シートヒータ装置１０１内にシート１０１３を電気ヒータで暖めるシートヒータ１０１２と該シートヒータ１０１２を制御するシートヒータスイッチ（シートＳＷとも言う）等を内蔵するシート空調パネル１０１５を有する。また、シート空調装置１０１はシートマニュアルモード（図において単にマニュアルモードとも記す）とシートオート作動モードで作動する。シートマニュアルモードは手動によるシート空調パネル１０１５内のシートヒータスイッチ等の操作で段階的にシート１０１３の温度が制御される。
【００７０】
図７のように、シート空調装置１０１のシートマニュアルモードは、温度が低いほうから高いほうにかけて、マニュアルＯＦＦ、マニュアルＬｏ、マニュアルＭｅ、マニュアルＨｉの順に段階的に設定可能である。また、シート空調装置１０１はエアコンＥＣＵ６０から目標吹出温度ＴＡＯの信号を受信する。シート空調装置１０１の作動がシート空調パネル１０１５内のシートオートスイッチ等によってシートオート作動モードになったときには、この目標吹出温度ＴＡＯに応じてシート１０１３の温度が変化する。シートヒータ１０１２におけるシートオート作動モードのときは、シートの温度の低いほうから高いほうにかけて、オートＯＦＦ、オートＬｏ、オートＭｅ、オートＨｉの順に変化する。
【００７１】
図７において、シート空調装置１０１がシートマニュアルモードに成っている場合において、シートヒータ１０１２は、シート空調パネル１０１５内のシートヒータスイッチを入力する毎に、マニュアルＯＦＦ→マニュアルＬｏ→マニュアルＭｅ→マニュアルＨｉに遷移する。
【００７２】
例えば、マニュアルＯＦＦの時、図６のエコモードスイッチ７１０が操作されて車両用空調装置１００がエコモード以外からエコモードになると、図７の矢印Ｙ７に示すように、制御状態が遷移する。これにより、シート空調装置１０１の作動が、図８に示す目標吹出温度ＴＡＯの大きさによって、オートＯＦＦからオートＬｏ、更に、オートＭｅ、オートＨｉの間を自動的に遷移するシートオート作動モードになる。
【００７３】
シートオート作動モードでシート空調装置１０１が作動中に、シート空調パネル１０１５内のシートヒータスイッチ（シートＳＷ）が操作されると、オートＯＦＦの状態にあった場合には、マニュアルＬｏに遷移する。また、オートＬｏの状態にあった場合には、マニュアルＭｅに遷移する。オートＭｅの状態にあった場合には、マニュアルＨｉに遷移する。オートＨｉの状態にあった場合には、マニュアルＯＦＦに戻るように遷移する。
【００７４】
シートオート作動モードにおける遷移状態も図７に示される。エアコンＥＣＵ６０からの信号を受信して目標吹出温度ＴＡＯに応じて、図８のように、オートＯＦＦ、オートＬｏ、オートＭｅ、オートＨｉの間を自動的に遷移していく。また、シートヒータ１０１２の温度はＨｉ、Ｍｅ、Ｌｏの順に低くなる。
【００７５】
図９において、マニュアルＨｉおよびオートＨｉのときのシートヒータ１０１２の温度（ヒータ温度）とシートヒータ１０１２に対する通電（ＯＮ）、非通電（ＯＦＦ）の関係をオート・マニュアルＨｉの図表部で示している。ヒータ温度とあるのは、各モード時の目標となるシートヒータ１０１２の温度（℃）である。このように、マニュアルＨｉおよびオートＨｉのときのシートヒータ１０１２の温度が４７℃になるとシートヒータ１０１２に対する通電（ＯＮ）がなされ、４７．５℃になると、シートヒータ１０１２に対する通電状態は、非通電（ＯＦＦ）の状態になる。このようにヒステリシスが設定されて、シートヒータ１０１２の通電がＯＮ、ＯＦＦされる。また、制御開始時は、丸印の作動状態から制御がスタートする。
【００７６】
以下、マニュアルＭｅおよびオートＭｅのときのシートヒータ１０１２の温度とシートヒータ１０１２に対する通電（ＯＮ）、非通電（ＯＦＦ）の関係を図９のオート・マニュアルＭｅの図表部で示している。更に、マニュアルＬｏおよびオートＬｏのときのシートヒータ１０１２の温度とシートヒータ１０１２に対する通電（ＯＮ）、非通電（ＯＦＦ）の関係をオート・マニュアルＬｏの図表部で示している。
【００７７】
車両用空調装置１００がエコモード以外の通常状態から、圧縮機４１の動力を削減するため、エコモードスイッチ７１０の操作でエコモードに設定されて車室内の温度目標値を低めにすることがある。このように、エコモードにした瞬間に、図７のようにシート空調装置１０１が自動的にシートオート作動モードになる。その結果、シートヒータ１０１２が、図８のように目標吹出温度ＴＡＯに従って、迅速かつ最適に温度調整する。よって、乗員の温感低下を最小限に抑えた空調が可能になる。
【００７８】
なお、上記の説明は、シート空調装置１０１内のシートヒータ１０１２についての作動を説明した。しかし、シート空調装置１０１には、ペルチェ素子等によるシートクーラ１０１１も装備されており、同様の制御がシートクーラ１０１１においても可能である。シートクーラ１０１１作動時においても、車両用空調装置１００がエコモード以外の状態から、圧縮機４１の動力を削減するため、夏場において、エコモードスイッチ７１０の操作でエコモードに設定されることがある。エコモードに設定されて車室内の温度目標値を高めにした瞬間に、図７と同様にシート空調装置１０１がシートオート作動モードになる。その結果、シートクーラ１０１１が、目標吹出温度ＴＡＯに従って、迅速かつ最適に温度調整して乗員を冷やすため、乗員の不快感を最小限に抑えることができる。
【００７９】
そしてステップＳ１３において、所定時間Ｔの経過を待って、ステップＳ２に戻り、継続して各ステップが実行される。次に、エアコンＥＣＵ６０の各ステップの詳細に関して更に詳しく説明する。
【００８０】
まず、ブロワ電圧決定処理（ステップＳ５）に関して説明する。ステップＳ５は、具体的には、図１０に従って実行される。ブロワ電圧は、電池の電力により駆動されるブロワモータ１５に印加される電圧である。図１０に示すように、本制御がスタートすると、ステップＳ６１にて風量設定がオート（自動）であるか否かを判断し、オートの場合は、ステップＳ６２に移し、オートでない場合には、ステップＳ６９に移る。
【００８１】
オートの場合、ステップＳ６２にて、ベースとなる仮のブロワレベルｆ（ＴＡＯ）をマップから演算する。エコモードの場合、エコモード以外の時（非エコモード時）に比べて低いブロワレベルを出力するようにしている。これにより、ブロワ消費電力が抑制されると共に、冷房時は蒸発器７の温度上昇が遅くなる。また、暖房時はエンジン水温の低下が遅くなるので、車両用空調装置１００の省動力運転が可能になる。
【００８２】
次に、ステップＳ６３において、ヒータコア３４の水温および電気ヒータ３５のＰＴＣ作動本数に応じてウオームアップ風量ｆ（Ｔｗ）を算出する。次に、ステップＳ６４にて、吹出口がフットモードでの吹出口からの吹出し（ＦＯＯＴ）、バイレベルモードでの吹出口からの吹出し（Ｂ／Ｌ）、およびフットデフモードでの吹出口からの吹出し（Ｆ／Ｄ）のいずれかであるか否かを判定する。
【００８３】
上記吹出口のいずれかであり、ＹＥＳと判定された時は、ステップＳ６５に進む。このステップＳ６５では、上記ｆ（ＴＡＯ）の最小値、およびｆ（Ｔｗ）の値のいずれか大きい方を選択する。ステップＳ６６では、ステップＳ６５で選択されたブロワレベルがマップを用いてブロワ電圧に変換される。
【００８４】
ステップＳ６４でＮＯと判定された時は、つまり、例えばフェイス（ＦＡＣＥ）吹出口のみから吹出されているような場合は、ステップＳ６７に進み、ブロワレベルとして上記ｆ（ＴＡＯ）を選択する。次のステップＳ６８では、選択されたブロワレベルｆ（ＴＡＯ）をマップにてブロワ電圧に変換する。なお、ステップＳ６１において、風量設定がオート（自動）でなくマニュアルの場合には、ステップＳ６９において、それぞれマップにて指定された電圧（４ボルトから１２ボルト）をブロワモータ１５に印加する。
【００８５】
次に、吸込口モード決定処理（ステップＳ６）に関して説明する。ステップＳ６は、具体的には、図１１にしたがって実行される。図１１に示すように、ステップＳ７１にて吸込口制御がオートか否かを判定する。オートの場合、ステップＳ７３にて、目標吹出温度ＴＡＯに応じた内外気切替制御を行う。オートで無くマニュアルの場合、ステップＳ７２において、マニュアル設定に応じた内外気切替制御を行う。つまり、内気モード（ＲＥＣ）の時は、外気導入率を０％とする。また、外気モード（ＦＲＳ）の時は、外気導入率を１００％に設定する。
【００８６】
次に、吹出口モード決定処理（ステップＳ７）に関して説明する。ステップＳ７は、具体的には、図１２にしたがって実行される。図１２のように、目標吹出温度ＴＡＯに応じて吹出口モードをフェイス（ＦＡＣＥ）、バイレベル（Ｂ／Ｌ）、フット（ＦＯＯＴ）のいずれかに決定する。
【００８７】
次に、圧縮機回転数決定処理（ステップＳ８）に関して説明する。ステップＳ８は、具体的には、図１３にしたがって実行される。図１３に示すように、本制御がスタートすると、ステップＳ９１にて、各種センサの検出信号を用いて算出した目標蒸発器後温度ＴＥＯから、実際の蒸発器後温度ＴＥを差し引いた値である温度偏差Ｅｎを下記数式２に基づいて演算する。
【００８８】
次に、数式３を用いて偏差変化率ＥＤＯＴを求め、更に、図１３に一例を示したマップから圧縮機の回転数変化量Δｆを求める。なお、Ｅｎ−１は、偏差Ｅｎの先回の値であり、ｎは自然数である。
（数式２）Ｅｎ＝ＴＥＯ−ＴＥ
（数式３）ＥＤＯＴ＝Ｅｎ−Ｅｎ−１
ここで、Ｅｎは１秒に１回更新されるため、Ｅｎ−１は、Ｅｎに対して１秒前の値となる。
【００８９】
図１３のステップＳ９１には、上記偏差Ｅｎと、偏差変化率ＥＤＯＴと、回転数変更分Δｆとの関係を示すマップの一例（冷房運転時の例）が示されている。上記ＥｎとＥＤＯＴとを用いて、図３のエアコンＥＣＵ６０内の図示しないＲＯＭに記憶されたマップを用いて１秒前の圧縮機回転数ｆｎ−１に対して、増減する回転数変更分Δｆを求める。
【００９０】
なお、この圧力偏差Ｅｎおよび偏差変化率ＥＤＯＴにおける回転数変更分Δｆは、ＲＯＭに記憶された所定のメンバーシップ関数、およびルールに基づいて、ファジー制御にて求めることも出来る。このようにして、圧縮機の１秒毎の回転数変化量Δｆを演算する。
【００９１】
次に、ステップＳ９２にて、図６のエコモードスイッチ７１０がオンされてエコモードになっているか否かを判定する。エコモード以外の場合は、ステップＳ９３において、最大回転数を１００００ｒｐｍとする。次にステップＳ９５では、前回の圧縮機回転数+Δｆｒｐｍと、この時の最大回転数１００００ｒｐｍの内、小さい方の値を求め、この小さい方の値を、今回の圧縮機回転数とする。ステップＳ９２において、エコモードの場合は、ステップＳ９６において、最大回転数を７０００ｒｐｍに設定する。
【００９２】
そして、ステップＳ９５では、前回の圧縮機回転数に回転数変化量Δｆを加えた値と、この時の最大回転数である７０００ｒｐｍとの内、小さい方の値を求め、この小さい方の値を、今回の圧縮機回転数とする。なお、上記の場合、エコモードにおいては、最大回転数は、非エコモード時の１００００ｒｐｍよりも低い７０００ｒｐｍに設定されるから、エコモードにおいて最大回転数を低減することで、電動圧縮機４１、４２、４３での消費電力を抑制できる。
【００９３】
次に、図４のステップＳ９のＰＴＣ作動本数決定ステップについて説明する。図１４に示すように、ステップＳ１０１において、ブロワスイッチ７０５（図５）がオンになっているか否かを判定する。つまり、ブロワスイッチ７０５が投入され「オフ」以外の「風量ＡＵＴＯ」、「ＬＯ」、「ＭＥ」、「ＨＩ」に設定されている時、ブロワスイッチがオンになっているとして、ＹＥＳと判定する。ステップＳ１０２では、電気ヒータ３５の作動本数をエンジン冷却水温（Ｔｗ）に基づいて算出する。
【００９４】
具体的には、図１４の特性マップに示すように、エンジン冷却水温（Ｔｗ）＜７１℃の時、電気ヒータ３５の作動本数を３本とし、７１℃＜冷却水温（Ｔｗ）＜７４℃の時、電気ヒータ３５の作動本数を２本とし、７４℃＜エンジン冷却水温（Ｔｗ）＜７７℃の時、電気ヒータ３５の作動本数を１本とし、７７℃＜エンジン冷却水温（Ｔｗ）の時、電気ヒータ３５の作動本数を０本とする。
【００９５】
なお、図１４のＳ１０１において、ブロワスイッチ７０５が、オフに設定されている時、ＮＯと判定して、ステップＳ１０３で電気ヒータ３５をオフ、すなわち作動本数を０本とする。このようにして、電気ヒータ３５の作動本数を決定すると、この決定本数に対応して、図２のスイッチ素子ＳＷ１、ＳＷ２、ＳＷ３のオン、オフを実行する。これにより、電気ヒータ３５の作動本数に対応して、ヒータコア３５の通過温風に付与する熱量が変わることになる。
【００９６】
次に、図４の要求水温決定処理（ステップＳ１０）に関して説明する。ステップＳ１０は、具体的には、図１５のフローチャートにしたがって実行される。図１５は、図４のステップＳ１０における要求水温決定処理の詳細を示すフローチャートである。
【００９７】
図１５に示すように、本制御がスタートすると、ステップＳ１１１にて、エンジン冷却水温度に基づくエンジンオン要求の要否判定に用いる判定しきい値であるエンジンオフ水温と、エンジンオン水温を算出する。エンジンオフ水温は、エンジン５０を停止させる時の判定基準となるエンジン冷却水温度であり、エンジンオン水温は、エンジン５０を作動させる時の判定基準となるエンジン冷却水温度である。
【００９８】
エンジンオフ水温は、数式５に示すように、数式４で算出された基準エンジン冷却水温度ＴｗＯと、７０℃との小さい方に決定される。一方、エンジンオン水温は、頻繁にエンジン５０がオン／オフするのを防止するため、エンジンオフ水温よりも所定温度（本例では５℃）低く設定される。
（数式４）ＴｗＯ＝｛（ＴＡＯ−ΔＴｐｃｔ）−（ＴＥ×０．２）｝／０．８
（数式５）エンジンオフ水温＝ＭＩＮ（ＴｗＯ，７０）
なお、基準エンジン冷却水温度ＴｗＯは、エアミックス前の温風温度が目標吹出温度ＴＡＯになるものと仮定した時に必要とされるエンジン冷却水温度である。ＴＥは、蒸発後温度である。また、ΔＴｐｔｃは電気ヒータ３５による吹出温度の上昇分の推定値であり、電気ヒータ３５の作動本数に応じてマップにて演算される。
【００９９】
次に、ステップＳ１１２では、エンジン冷却水温度に基づくエンジンオン要求の要否決定を行う。このステップＳ１１２では、仮のエンジンオン要求の要否を決定する。具体的には、実際のエンジン冷却水温度Ｔｗを、ステップＳ１１１で求めたエンジンオフ（ＯＦＦ）水温およびエンジンオン（ＯＮ）水温と比較する。そして、エンジン冷却水温度がエンジンオン水温より低ければ、ｆ（Ｔｗ）＝オンとしてエンジン５０の稼動を仮決定し、エンジン冷却水温度がエンジンオフ水温より高ければ、ｆ（Ｔｗ）＝オフとしてエンジン５０の停止を仮決定する。
【０１００】
次に、ステップＳ１１３にて、乗員のシートを温めるシート空調装置１０１内のシートヒータ１０１２（図３）がオンしているか否かを判定する。ステップＳ１１３にて、シートヒータ１０１２がオフの場合、ステップＳ１１４にて、日射量に応じてｆ（日射量）を演算する。ステップＳ１１３にてシートヒータ１０１２がオンしている場合は、ステップＳ１１５にて、ステップＳ１１４よりも低いｆ（日射量）の値を演算する。次に、ステップＳ１１６にて、ステップＳ１１４あるいはステップＳ１１５にて演算したｆ（日射量）の値に応じて、ｆ（外気温）のオンまたはオフを選択する。ステップＳ１１６において制御当初は、ｆ（外気温）オフを選択する。
【０１０１】
次に、ステップＳ１１７にて、エアコンＥＣＵ６０からの最終のエンジンオン（エンジンＯＮ）要求の有無を演算する。エコモードであり、かつ目標吹出温度ＴＡＯ＝２０℃以上で、かつｆ（Ｔｗ）＝オン（ＯＮ）の時、通常はエンジンオン（エンジン稼動）を許可するが、設定温度が２８℃以上の場合を除き、ｆ(外気温)＝オフの場合には、エンジンオンを許可しない。
【０１０２】
また、ステップＳ１１３で、シートヒータ１０１２がオンの時は、乗員の温感が高くなるので、ｆ（日射量）の値を小さくして、シートヒータ１０１２オン時にエンジンオン要求を許可しにくくすることで、最低限の温感確保を達成しつつ、燃費を向上させることができる。更に、車両周辺の騒音である車外音が低減し、また、電池に充電した電力の有効利用が達成できる。また、日射量が多い程、乗員の温感は高くなるので、日射量が多い程、エンジンオン要求を許可しにくくすることで、最低限の温感確保と燃費向上・車外音低減・充電電力の有効利用ができる。
【０１０３】
次に、電動ウォータポンプ作動決定処理（図４のステップＳ１１）に関して説明する。ステップＳ１１は、具体的には、図１６に従って実行される。図１６に示すように、本制御がスタートすると、ステップＳ１２１にて、冷却水温センによって検出されるエンジン冷却水温度（水温）Ｔｗが蒸発器後温度ＴＥより高いか否かを判定する。エンジン冷却水温度Ｔｗが、蒸発器後温度ＴＥ以下であると判定されると、ステップＳ１２２で電動ウォータポンプ３２をオフする要求を決定し、本制御を終了する。
【０１０４】
ステップＳ１２１にて、冷却水温度センサによって検出される冷却水温度Ｔｗが比較的低く、エンジン冷却水温Ｔｗが蒸発器後温度ＴＥ以下であると判定されると、エンジン冷却水をヒータコア３４に流した時、かえって吹出温度を低くしてしまうため、ステップＳ１２２で電動ウォータポンプ３２をオフするのである。
【０１０５】
ステップＳ１２１でエンジン冷却水温度Ｔｗが、蒸発器後温度ＴＥよりも高いと判定すると、ステップＳ１２３で図１のブロワ１６をオン（運転）した状態であるか否かを判定する。ブロワ１６をオンしていない状態であれば、ステップＳ１２２に進み、電動ウォータポンプ３２をオフする要求を決定し、本制御を終了する。ブロワ１６をオンした状態であれば、ステップＳ１２４に進み、電動ウォータポンプ３２をオンする要求を決定し、本制御を終了する。
【０１０６】
つまり、エンジン冷却水温Ｔｗが比較的高い時にブロワ１６がオフ（停止）の時は、省動力のため、電動ウォータポンプ３２をオフする。一方、ブロワオンの時は、電動ウォータポンプ３２のオン要求を行う。これにより、エンジンオフの時でも、エンジン冷却水が持っている熱量を空調に利用することができる。従って、吹出温度が上がり、吹出温度を目標吹出温度ＴＡＯに近づけることができるので、エンジンオフの状態でも室温が下がるのを緩和できる。
【０１０７】
次に、図４のステップＳ１２では、以上のようにして求めた制御信号を出力して、ブロワ１６の制御、インバータ４２の制御による圧縮機４１の回転数制御、室外ファン４の回転数制御、内外気切替ドア１３の制御、吹出口切替ドア２１、２２の制御、電動ウォータポンプ３２の制御、電気ヒータ３５となるヒータ線（ＰＴＣ）３５１〜３５３の通電本数制御を行う。また、このステップＳ１２では、エコモードスイッチ７１０およびオートスイッチ７０８の各表示部７１０ａ、７０８ａに関わる表示動作の制御を行う。
【０１０８】
前述したように、図５の操作パネル７０には、オートスイッチ７０８が設けられている。そして、オートモードで制御されている時に、このオートスイッチ７０８内のオートモード表示部７０８ａを構成する発光ダイオード（ＬＥＤ）が発光し、オートモードによる運転中であることを表示する（つまり、オートモード表示部７０８ａをなすオートインジケータが点灯する）。
【０１０９】
また、エコモードを選択するか否かを切り換える図６のエコモードスイッチ７１０が車室内に設けられている。乗員によりエコモードスイッチ７１０が操作されて、エコモードによる運転がなされると、エコモードスイッチ７１０内の発光ダイオードが点灯し、エコモードによる運転中であることを表示する（つまり、エコモード表示部７１０ａをなすエコモードインジケータを点灯する）。
【０１１０】
上記第１実施形態においては、シート空調装置１０１は、車室内のシート１０１３を加熱または冷却し、加熱または冷却の程度が手動設定された値に従うシートマニュアルモードと、自動設定された値（目標吹出温度ＴＡＯ）に従うシートオート作動モードとで制御される。そして、エアコンＥＣＵ６０は、エコモードスイッチ７１０により圧縮機４１の制御がエコモードに設定されている場合において、シート空調装置１０１をシートオート作動モードで自動的に作動状態にしている。これによれば、エコモードで室内の空調を弱めに設定していても、エコモードにした場合に、これに呼応して自動的に、シート空調装置がシートオート作動モードで温度調整するため、乗員の空調不足感を抑えることが可能になる。
【０１１１】
シート空調装置１０１は、シートクーラ１０１１としてもシートヒータ１０１２としても作動する。これによれば、エコモードで室温目標を低めにしても、エコモードにしたことに応じてシートヒータが温度調整するため、乗員の温感低下を抑えた空調が可能となる。また、冷房時も、シートクーラが同様に乗員の温感上昇を抑えた空調が可能になる。
【０１１２】
また、シート空調装置１０１は、車室内のシート１０１３を加熱または冷却し、加熱または冷却の程度が手動設定された値に従うシートマニュアルモードと、加熱または冷却の程度が自動設定された値に従うシートオート作動モードとで制御され、エコモードに設定されたときのシート空調装置１０１の作動状態は、シートオート作動モードで作動するようにしたから、エコモード時のシート空調装置１０１による空調バックアップを、より一層車室内環境に適したものにすることができる。
【０１１３】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。
【０１１４】
この第２実施形態では、エコモードスイッチ７１０の操作でエコモードに設定して車室内の温度目標を低めにするという第１条件と、図５のオートスイッチ７０８がオン操作されるという第２条件とのアンド条件が成立すると、シート空調装置１０１をシートオート作動モードで自動的に作動させる。これにより、エコモード時に空調状態を弱めにしても、オートモードにした瞬間にシート空調装置１０１の例えばシートヒータ１０１２がＯＮする。このため、乗員の温感低下を最小限に抑えた空調が可能になる。以下、これについて詳述する。
【０１１５】
援用する図３において、シート空調装置１０１は、シート１０１３を電気ヒータで暖めるシートヒータ１０１２と該シートヒータ１０１２を制御するシート空調パネル１０１５内のシートヒータスイッチ（図１７のシートＳＷ）を有する。また、シート空調装置１０１はシートマニュアルモードとシートオート作動モードで作動する。シートマニュアルモードは手動による上記シートヒータスイッチの操作で段階的にシート１０１３を暖める温度が高くなる。
【０１１６】
シートマニュアルモードは、図１７のように、温度が低いほうから高いほうにかけて、マニュアルＯＦＦ、マニュアルＬｏ、マニュアルＭｅ、マニュアルＨｉの順に段階的に設定可能である。また、シート空調装置１０１は、エアコンＥＣＵ６０から目標吹出温度ＴＡＯの信号を受信する。シート空調装置１０１の作動が、シート空調パネル１０１５内のシートオートスイッチ等によってシートオート作動モードになったときには、この目標吹出温度ＴＡＯに応じてシート１０１３の暖め温度が変化する。シートオート作動モードのときは、シート１０１３の温度の低いほうから高いほうにかけて、オートＯＦＦ、オートＬｏ、オートＭｅ、オートＨｉの順に変化する。
【０１１７】
第２実施形態の図１７において、シート空調装置１０１がシートマニュアルモードに成っている場合において、シートヒータ１０１２は、上記シートヒータスイッチを入力する毎に、マニュアルＯＦＦ→マニュアルＬｏ→マニュアルＭｅ→マニュアルＨｉに遷移する。例えば、マニュアルＯＦＦの時、図６のエコモードスイッチ７１０が操作されて車両用空調装置１００がエコモード以外からエコモードになっている場合において、図５のオートスイッチ７０８がオン操作されることがある。この時に、図１７の矢印Ｙ１７に示すように、シート空調装置１０１の作動が、シートオート作動モードに遷移する。このシートオート作動モードでは、図８に示す目標吹出温度ＴＡＯの大きさによって、オートＯＦＦからオートＬｏ、更に、オートＭｅ、オートＨｉの間を制御状態が自動的に遷移する。
【０１１８】
シートオート作動モードにてシート空調装置１０１が作動中に、シートヒータスイッチ（シートＳＷ）が操作されると、オートＯＦＦの状態にあった場合には、マニュアルＬｏに遷移する。また、オートＬｏの状態にあった場合には、マニュアルＭｅに遷移する。オートＭｅの状態にあった場合には、マニュアルＨｉに遷移する。オートＨｉの状態にあった場合には、マニュアルＯＦＦに遷移する。
【０１１９】
シートオート作動モードにおける遷移状態を説明する。エアコンＥＣＵ６０からの信号を受信して目標吹出温度ＴＡＯに応じて、図８と同様に、オートＯＦＦ、オートＬｏ、オートＭｅ、オートＨｉの間を自動的に遷移していく。また、シートヒータ１０１２の温度はＨｉ、Ｍｅ、Ｌｏの順に低くなる。
【０１２０】
図９において、マニュアルＨｉおよびオートＨｉのときのシートヒータ１０１２の温度とシートヒータ１０１２に対する通電（ＯＮ）、非通電（ＯＦＦ）の関係をオート・マニュアルＨｉの図表部で示している。ヒータ温度とあるのは、各モード時の目標となるシートヒータ１０１２の温度（℃）である。
【０１２１】
以下、マニュアルＭｅおよびオートＭｅのときのシートヒータ１０１２の温度とシートヒータ１０１２に対する通電（ＯＮ）、非通電（ＯＦＦ）の関係をオート・マニュアルＭｅの図表部で示している。更に、マニュアルＬｏおよびオートＬｏのときのシートヒータ１０１２の温度とシートヒータ１０１２に対する通電（ＯＮ）、非通電（ＯＦＦ）の関係をオート・マニュアルＬｏの図表部で示している。
【０１２２】
車両用空調装置１００がエコモード以外の状態から、圧縮機４１の動力を削減するため、エコモードスイッチ７１０の操作でエコモードに設定して車室内の温度目標を低めにすることがある。また、車両用空調装置１００の作動をオートスイッチ７０８のオン操作によりオートモードに設定することもある。そして、エコモードへの設定とオートモードへの設定の両方が成された場合に、車室内の温度目標が低めにされ、かつ車両用空調装置１００の作動がオートモードに設定される。このときの車両用空調装置１００の制御の変化を受信したシート空調装置１０１は、瞬間に図１７のようにシートオート作動モードになる。そして、シートヒータ１０１２が、図８のように目標吹出温度ＴＡＯに従って、迅速かつ最適に温度調整する。そのため、乗員の温感低下を最小限に抑えた空調が可能になる。
【０１２３】
なお、シート空調装置１０１内のシートヒータ１０１２についての作動を説明したが、シート空調装置１０１には、ペルチェ素子等によるシートクーラ１０１１も装備されており、同様の制御がシートクーラ１０１１においても可能である。夏場において、車両用空調装置１００がエコモード以外の状態から、圧縮機４１の動力を削減するため、エコモードスイッチ７１０の操作でエコモードに設定されることがある。エコモードの設定により車室内の温度目標が高められても、エコモードにした瞬間に、シート空調装置１０１がシートオート作動モードになる。そして、シートクーラ１０１１が、目標吹出温度ＴＡＯに従って、迅速かつ最適に温度調整して乗員を冷やす。このため、乗員の不快感を最小限に抑えた空調が可能になる。
【０１２４】
上記第２実施形態においては、エアコンＥＣＵ６０により空調風の温度を自動制御するオートモードを設定するオートモードスイッチ７０８を備えている。エコモードが設定されており、かつオートモードスイッチ７０８により自動制御を指示するオート入力があったときに応答して、シート空調装置１０１を作動状態にしている。これによれば、エコモードで、車室内の空調を弱めにしても、車両用空調装置１００をオートモードにしたことに応じてシート空調装置１０１が自動的に作動する。そのため、乗員の空調不足感、すなわち温感低下または冷房不足感を抑えることができる。
【０１２５】
（第３実施形態）
次に、本発明の第３実施形態について説明する。なお、以降の各実施形態においては、上述した第１実施形態と同一の構成要素には同一の符号を付して説明を省略し、異なる構成および特徴について説明する。
【０１２６】
この第３実施形態では、車両用空調装置１００がエコモードを選択したという第１条件と、イグニッションスイッチ７４をオンして車両運転を開始させたり、図５のブロワスイッチ７０５等をオンして空調開始信号を発生させたりしたという第２条件のアンド条件が成立したときには、その瞬間にシートヒータ１０１２がＯＮするため、乗員の温感低下を最小限に抑えた空調が可能になる。
【０１２７】
援用する図３において、シート空調装置１０１は、該シートヒータ装置１０１内にシート１０１３を電気ヒータで暖めるシートヒータ１０１２と該シートヒータ１０１２を制御するシート空調パネル１０１５内のシートヒータスイッチ（図１８のシートＳＷとも言う）を有する。また、シート空調装置１０１はシートマニュアルモードとシートオート作動モードで作動する。シートマニュアルモードは手動による上記シートヒータスイッチの操作で段階的にシート１０１３を暖める温度が高くなる。
【０１２８】
シートマニュアルモードは、温度が低いほうから高いほうにかけて、マニュアルＯＦＦ、マニュアルＬｏ、マニュアルＭｅ、マニュアルＨｉの順に段階的に設定可能である。また、シート空調装置１０１は、エアコンＥＣＵ６０から目標吹出温度ＴＡＯの信号を受信する。シート空調装置１０１の作動がシート空調パネル１０１５内のシートオートスイッチ等によってシートオート作動モードになったときには、目標吹出温度ＴＡＯに応じてシート１０１３の暖め温度が変化する。シートオート作動モードのときは、シート１０１３の温度の低いほうから高いほうにかけて、オートＯＦＦ、オートＬｏ、オートＭｅ、オートＨｉの順に変化する。
【０１２９】
第３実施形態を示す図１８において、シート空調装置１０１がシートマニュアルモードに成っている場合において、シートヒータ１０１２は、シートヒータスイッチ（シートＳＷ）を入力する毎に、マニュアルＯＦＦ→マニュアルＬｏ→マニュアルＭｅ→マニュアルＨｉに遷移する。例えば、マニュアルＯＦＦの時、図６のエコモードスイッチ７１０が操作されて車両用空調装置１００がエコモード以外からエコモードになり、かつイグニッションスイッチ７４をオンして車両運転を開始させたり、図５のブロワスイッチ７０５等をオンして空調開始信号を発生させたりしたときには、その瞬間に、図１８の矢印Ｙ１８に示すように、シート空調装置１０１の作動が、図８に示す目標吹出温度ＴＡＯの大きさによって、オートＯＦＦからオートＬｏ、更に、オートＭｅ、オートＨｉの間を自動的に遷移するシートオート作動モードに変化する。
【０１３０】
シートオート作動モードでシート空調装置１０１が作動中に、シートヒータスイッチ（シートＳＷ）が操作されると、オートＯＦＦの状態にあった場合には、マニュアルＬｏに遷移する。また、オートＬｏの状態にあった場合には、マニュアルＭｅに遷移する。オートＭｅの状態にあった場合には、マニュアルＨｉに遷移する。オートＨｉの状態にあった場合には、マニュアルＯＦＦに遷移する。
【０１３１】
シートオート作動モードにおける遷移状態も図１８に示される。エアコンＥＣＵ６０からの信号を受信して目標吹出温度ＴＡＯに応じて、オートＯＦＦ、オートＬｏ、オートＭｅ、オートＨｉの間を自動的に遷移していく。また、シートヒータ１０１２の温度（ヒート温度）はＨｉ、Ｍｅ、Ｌｏの順に低くなる。
【０１３２】
図９において、マニュアルＨｉおよびオートＨｉのときのヒータの温度とシートヒータ１０１２に対する通電（ＯＮ）、非通電（ＯＦＦ）の関係をオート・マニュアルＨｉの図表部で示している。ヒータ温度とあるのは、各モード時の目標となるシートヒータ１０１２の温度（℃）である。
【０１３３】
以下、マニュアルＭｅおよびオートＭｅのときのシートヒータ１０１２のヒータ温度とヒータに対する通電（ＯＮ）、非通電（ＯＦＦ）の関係をオート・マニュアルＭｅの図表部で示している。更に、マニュアルＬｏおよびオートＬｏのときのシートヒータ１０１２のヒータの温度とシートヒータ１０１２に対する通電（ＯＮ）、非通電（ＯＦＦ）の関係をオート・マニュアルＬｏの図表部で示している。
【０１３４】
イグニッションスイッチ７４をオンして車両運転を開始させたり、図５のブロワスイッチ７０５等（空調開始スイッチ）をオンして空調開始信号を発生させたりしたときに、エコモード以外の状態から、圧縮機４１の動力を削減するため、エコモードスイッチ７１０の操作でエコモードが設定されることがある。エコモードで車室内の温度目標が低めにされた場合に、図１８のようにシート空調装置１０１が自動的にシートオート作動モードになる。この結果、シートヒータ１０１２が、図８のように目標吹出温度ＴＡＯに従って、迅速かつ最適に温度調整するため、乗員の温感低下を最小限に抑えた空調が可能になる。なお、上記の説明は、シート空調装置１０１内のシートヒータ１０１２についての作動を説明したが、シート空調装置１０１には、ペルチェ素子等によるシートクーラ１０１１も装備されており同様の制御がシートクーラ１０１１においても可能である。
【０１３５】
上記第３実施形態においては、車両の起動信号を発生するイグニッションスイッチ７４、または、空調開始信号を発生する空調開始スイッチ７０５を備える。エコモードが設定されている場合に、起動信号、または、空調開始信号が発生したことに応じて、シート空調装置１０１を自動的に作動状態にしても良い。これによれば、エコモードで室内の空調を弱めに設定していても、イグニッションスイッチのオン、または、ブロワスイッチのオン操作等による空調開始信号の発生に応じてシート空調装置１０１が作動状態となる。よって、エコモードで、車室内の空調を弱めにしても、車両の起動信号、または、空調開始信号の発生に応じて自動的にシート空調装置１０１が作動するため、乗員の空調不足感を抑えることができる。
【０１３６】
（第４実施形態）
次に、本発明の第４実施形態について説明する。なお、以降の各実施形態においては、上述した第１実施形態と同一の構成要素には同一の符号を付して説明を省略し、異なる構成および特徴について説明する。この第４実施形態では、イグニッションスイッチがオンされたときにエコモードが設定されているとシート空調がシートオート作動モードで作動するようにしている。一方、イグニッションスイッチがオンされたときにエコモード以外のモードが設定されていると、シート空調がマニュアルＯＦＦで非作動状態となるようにしている。
【０１３７】
具体的に説明すると、第４実施形態を示す図１９において、シートヒータは通常、シートヒータスイッチを入力する毎に、マニュアルＯＦＦ、マニュアルＬｏ、マニュアルＭｅ、マニュアルＨｉの順に段階的に遷移する。エコモードに設定されていてイグニッションスイッチ７４がオフからオンにされたときは、目標吹出温度ＴＡＯによって、オートＯＦＦ〜オートＨｉの間を自動的に遷移するシートオート作動モードに遷移する。一方、エコモード以外に設定されていてイグニッションスイッチがオフからオンにされたときは、マニュアルＯＦＦの状態に遷移する。
【０１３８】
これによれば、エコモードで室温目標を低めにしても、シートヒータが作動するため、
乗員の温感低下を最小限に抑えた空調が可能になる。冷房時も、シートクーラに適用することで、同様に、乗員の温感上昇を最小限に抑えた空調が可能になる。
【０１３９】
また、イグニッションスイッチ７４がオンされたときにエコモード以外のモードが設定されていると、シート空調がマニュアルＯＦＦになるようにしている。これによって、イグニッションスイッチ７４をオンにしたときに、シート空調の設定が前の状態を継続したままに成っており（例えば、マニュアルＨｉの状態を継続したままに成っており）、シート空調の電力消費が大きくなるということを抑制できる。
【０１４０】
（第５実施形態）
次に、本発明の第５実施形態について説明する。なお、以降の各実施形態においては、上述した第１実施形態と同一の構成要素には同一の符号を付して説明を省略し、異なる構成および特徴について説明する。この第５実施形態では、図２０において、シートヒータは通常、シートヒータスイッチを入力する毎に、マニュアルＯＦＦ、マニュアルＬｏ、マニュアルＭｅ、マニュアルＨｉの順に段階的に遷移する。エコモードに設定されていてイグニッションスイッチ７４がオフからオンにされたときは、目標吹出温度ＴＡＯによって、オートＯＦＦ〜オートＨｉの間を自動的に遷移するシートオート作動モードに遷移する。一方、エコモード以外に設定されていてイグニッションスイッチがオフからオンにされたときは、マニュアルＯＦＦの状態に遷移する。
【０１４１】
また、車両外部の空気温度である外気温度に応じて空調装置の空調負荷が大きいか小さいかを図２０の判定手段１０２で判断している。外気温度が低くオートＯＦＦ（空調負荷が小さい）と判断されるときは、図２０において、シートオート作動モードのオートＯＦＦの状態に遷移する。
【０１４２】
これによれば、エコモードで室温目標を低めにしても、シートヒータが作動するため、
乗員の温感低下を最小限に抑えた空調が可能になる。冷房時も、シートクーラに適用することで、同様に、乗員の温感上昇を最小限に抑えた空調が可能になる。
【０１４３】
また、イグニッションスイッチ７４がオンされたときにエコモード以外のモードが設定されていると、シート空調がマニュアルＯＦＦになるようにしているから、イグニッションスイッチ７４をオンにしたときに、シート空調の設定が前の状態を継続したままに成っており（例えば、マニュアルＨｉの状態を継続したままに成っており）、シート空調の電力消費が大きくなるということを防止できる。つまり、前回乗車時のシート空調装置におけるマニュアル設定状態をリセットすることで、無駄なシート空調装置の作動が抑えられ、更に省電力にできる。更に、外気温度が低く、空調負荷が少ないと判断されるときは、シートオート作動モードのオートＯＦＦの状態に遷移するから、空調負荷が少ないときの無駄なシート空調装置の作動が抑えられる。
【０１４４】
（その他の実施形態）
本発明は上述した実施形態にのみ限定されるものではなく、次のように変形または拡張することができる。例えば、上述の実施形態では、エアコンサイクル（クーラーサイクル）の車両用空調装置１００に本発明を適用したが、ヒートポンプサイクルの車両用空調装置に本発明を適用しても良い。更に、圧縮機は、電動圧縮機でなくとも良く、車両は、ハイブリッド車に限らず、ＥＶ（電気自動車）または通常の内燃機関で走行するガソリン車等であっても良い。
【０１４５】
シート空調装置は、シートヒータ機能とシートクーラ機能の両方を備える必要は無い。また、単一の装置でシートヒータ機能とシートクーラ機能の両方を備えても良く、別々の装置でシートヒータ機能とシートクーラ機能とを備えても良い。更に、シートヒータのみ、あるいは、シートクーラのみを備えても良い。また、シート空調制御装置は、エアコンＥＣＵ内に組み込まれていても良い。
【０１４６】
また、シート空調装置はシート自体を加熱または冷却するものであるが、シート近傍に局部的に車両内装部材から空調風を吹出し間接的にシートの温度を調節する装置を使用しても良い。このような装置及びシート空調装置を含めてシート温度調整システムと称する。
【０１４７】
更に、上記各実施形態においては、エコモードスイッチの操作によりエコモードになる制御を示したが、電気自動車を駆動する電力残量が少ないバッテリ等の状態や残存燃料量の状態から、自動的にエコモードに設定されても良い。
【０１４８】
また、エコモードは、車両用空調装置の空調性能が減少する省エネルギーモードであれば良く、圧縮機の動力を制限するものに限らない。例えばブロワ風量を制限したり、ヒータコア内を流れる温水流量を制限したりするものであっても良い。
【０１４９】
また、本発明に言うイグニッションスイッチは、点火装置の無い電気自動車における運転開始スイッチまたは始動スイッチを含む。
【符号の説明】
【０１５０】
４１  圧縮機
６０  エアコンＥＣＵ
６０、１０１４  制御手段（エアコンＥＣＵおよびシート空調制御装置）
７４  イグニッションスイッチ（起動信号発生手段）
１０１  シート空調装置
７０５  空調開始スイッチ（ブロワスイッチ）（空調開始信号発生手段）
７０８  オートスイッチ
７１０  エコモードスイッチ
１０１４  シート空調制御装置
１０１５  シートＳＷを有するシート空調パネル
【図１】
0005849893.tif 000002
【図２】
0005849893.tif 000003
【図３】
0005849893.tif 000004
【図４】
0005849893.tif 000005
【図５】
0005849893.tif 000006
【図６】
0005849893.tif 000007
【図７】
0005849893.tif 000008
【図８】
0005849893.tif 000009
【図９】
0005849893.tif 000010
【図１０】
0005849893.tif 000011
【図１１】
0005849893.tif 000012
【図１２】
0005849893.tif 000013
【図１３】
0005849893.tif 000014
【図１４】
0005849893.tif 000015
【図１５】
0005849893.tif 000016
【図１６】
0005849893.tif 000017
【図１７】
0005849893.tif 000018
【図１８】
0005849893.tif 000019
【図１９】
0005849893.tif 000020
【図２０】
0005849893.tif 000021